(57)【特許請求の範囲】
【請求項１】
折り曲げ線で連続する前後左右の側板を有し、前記前側板の上端に折り曲げ線を介して前上蓋が連設されていると共に前記後側板の上端に折り曲げ線を介して後上蓋が連設された段ボール箱において、前記左右の側板の内側中央上端部に掛止溝を対向して設けると共に、前記前上蓋および後上蓋の何れか一方の上蓋の先端に折り曲げ線を介して連結板を設け、前記連結板の先端部に架軸部を形成し、前記架軸部の両端部を前記掛止溝に嵌脱自在に嵌入して前記架軸部を前記左右の側板に掛け渡す構成としたことを特徴とする段ボール箱。
【請求項２】
架軸部が連結板の拡幅部で補強管を捲回し接着して形成されていることを特徴とする請求項１記載の段ボール箱。
【請求項３】
補強管が横断面形状が方形の紙管であることを特徴とする請求項２記載の段ボール箱。
【発明の詳細な説明】
【０００１】
【発明の属する技術分野】
本発明は、組み立てと折り畳みが簡単にできる通い箱に好適な段ボール箱に関するものであり、詳しくは、洋服をハンガーに掛け吊したままの状態で収容する段ボール箱に関する。
【０００２】
【従来の技術】
従来より、引っ越し時における洋服の搬送や、洋服業者の洋服の搬送時に、洋服をハンガーに掛け吊したままの状態で収容するハンガーボックスと通称されている段ボール箱が使用されている。
【０００３】
図６は、従来周知のハンガーボックス（洋服搬送用段ボール箱）の一例を示すもので、折り曲げ線で連続する前後左右の側板５１、５２、５３、５４を有し、折り畳まれた状態から引き起こされた箱本体５０は、底フラップ（図示省略）の重なりで自動的に有底筒状に形成されるものであり、前後の側板５１、５２の上端には折り曲げ線５５、５５を介して前後方向の幅が異なる前上蓋５６と後上蓋５７とが一体に形成されており、左右の側板５３、５４の上縁中央には切欠凹所５３ａ、５４ａが形成されている。
【０００４】
このハンガーボックスは、合成樹脂製の架杆部材６０が付設されるようになっており、架杆部材６０は、ハンガー５９が吊される杆部６１とその両端に形成された挟み溝６２、６２を有する支持部６３、６３とから構成されている。箱本体に５０架杆部材６０を装着するには、支持部６３、６３の挟み溝６２、６２で箱本体５０の切欠凹所５３ａ、５４ａの側板を上方から挟み込んで取り付ける。
【０００５】
組み立てられたハンガーボックスには、ハンガー５９に掛けた複数の洋服６３を杆部６１に吊り掛けて収容する。そして、前後の上蓋５６、５７を内側に折り曲げて前後の上蓋５６、５７の各先端部に設けた垂下フラップ５６ａ、５７ａの外面を互いに接触させて蓋５６、５７を閉じるとともに、各蓋５６、５７の左右側に設けた垂下フラップ５６ｂ、５６ｂ、５７ｂ、５７ｂを、各垂下フラップ５６ｂ、５６ｂ、５７ｂ、５７ｂに対応して左右の側板５３、５４の外面に設けた面ファスナー５８、５８で接着し、不用意には開蓋しないように封止して、複数の洋服を折り畳むことなく収容し搬送する。
【０００６】
搬送が終わると、架杆部材６０は箱本体５０から取り外されると共に箱本体５０も折り畳まれる。そして、次の洋服の搬送時に再度組立られて、通い箱として何度も使用されるものである。
【０００７】
【発明が解決しようとする課題】
しかしながら、上記従来のハンガーボックスは、折り畳まれた状態の保管時や移送時には、箱本体５０と架杆部材６０は分離されていて個別に保管管理されおり、使用時に架杆部材６０を箱本体５０に取り付けて組み立てる構成であるので、作業現場への架杆部材６０の積み忘れや、架杆部材６０と箱本体５０の数量の違いが発生し易く、作業現場での管理が面倒であって搬送作業者にとって扱い易い通い箱とは言えなかった。
【０００８】
また、合成樹脂で成形された架杆部材６０は嵩張るので、箱本体５０とは別の保管スペースを必要とするうえに、高価であるので経済的にも有利とは言えなかった。
【０００９】
本発明は、上記の問題に鑑みてなされたもので、搬送時や保管時の管理がし易く、且つ洋服の通い箱として好適な安価に提供できる段ボール箱にすることにある。
【００１０】
【課題を解決するための手段】
本発明は、折り曲げ線で連続する前後左右の側板を有し、前記前側板の上端に折り曲げ線を介して前上蓋が連設されていると共に前記後側板の上端に折り曲げ線を介して後上蓋が連設された段ボール箱において、前記左右の側板の内側中央上端部に掛止溝を対向して設けると共に、前記前上蓋および後上蓋の何れか一方の上蓋の先端に折り曲げ線を介して連結板を設け、前記連結板の先端部に架軸部を形成し、前記架軸部の両端部を前記掛止溝に嵌脱自在に嵌入して前記架軸部を前記左右の側板に掛け渡す構成としたことを特徴としており、これにより、段ボール箱単体を組み立てるだけで洋服をハンガーに掛け吊したまま搬送できるハンガーボックスとなる。洋服搬送の終了後は、折り畳み、再組立てをして、洋服搬送用の通い箱として複数回にわたり使用することができる。
【００１１】
また、架軸部を連結板の拡幅部で補強管を捲回し接着して形成し、重量の大きな複数の洋服の掛け吊りにも耐えられる強度を保有させた。
【００１２】
また、補強管として横断面形状が方形の紙管を使用することにより、架軸部の形成が容易となる共にハンガーのフックの掛け代が十分確保され、低価格の資材で強度が保持できる。
【００１３】
【発明の実施の形態】
以下、本発明の好適な実施の形態を添付図面を参照しながら詳細に説明する。
【００１４】
図１乃至図５は、本発明の実施の形態を示しており、図１に示す閉蓋した状態の段ボール箱は、図３（Ａ）に裏面を展開図で示す抜き打ち形成された段ボール箱板Ｄと、図３（Ｂ）に斜視図で示す補強管２５を使って構成されている。
【００１５】
段ボール箱は、折り曲げ線Ｒ１、Ｒ２、Ｒ３、Ｒ４で連続する前後左右の側板１、３、２、４を有し、前側板１の一側と右側板４に折り曲げ線Ｒ４を介して連続形成された接着片４ａとが接着されて筒状に形成されている。
【００１６】
前側板１には、左上隅部から右側下方にかけて外方に折り曲げ可能な傾斜折り曲げ線Ｒ９が設けられ、傾斜折り曲げ線Ｒ９はその下端が右側縁から切り込まれた切り込み線３５と連続していて蝶番機能を有しおり、前側板１のほぼ右側半分が傾斜折り曲げ線Ｒ９を介して開閉可能な傾斜蓋１ａとなっている。
【００１７】
前側板１の傾斜蓋１ａとなる部分の右側縁部は前記接着片４ａと面ファスナー３０ａで着離自在に接着されていると共に、その下方の前側板１の右側縁部は接着片４ａと接着剤で接着されている。傾斜蓋１ａは搬送洋服の出し入れに利用される。尚、図３（Ａ）に示す展開図としての段ボール箱板Ｄに於いては、面ファスナー３０は、合い接着する面ファスナーの一方のみを表示し他方は省略してある。
【００１８】
また、左右の側板２、４のほぼ中央には、傾斜した長孔に形成された舌片付き把持孔３６が対向して形成されている。
【００１９】
前記前後左右の側板１、３、２、４の下端には、それぞれ折り曲げ線Ｒ５、Ｒ７、Ｒ６，Ｒ８を介して底フラップ５、７、６、８が一体に連設されており、前側底フラップ５と左側底ラップ６とは前側底ラップ５に折り曲げ線Ｒ１０を介して設けた糊代片５ａで接着され、後側底フラップ７と右側底フラップ８とは後側底フラップ７に折り曲げ線Ｒ１１を介して設けた糊代片７ａで接着されて底蓋Ｓが形成されている。この底蓋Ｓは、畳まれている段ボール箱を引き起こすと自動的に組立てられる周知構造のものである。
【００２０】
前側板１の上端には、折り曲げ線Ｒ１２を介して前上蓋１０が連設されており、前上蓋１０には、先端の前フラップ１０ａと左右の垂下フラップ１０ｂ、１０ｃが設けられ、左右の垂下フラップ１０ｂ、１０ｃの内面には面ファスナー３０が接着されている。
【００２１】
また、左右の側板２、４の上端部の内側には、それぞれ支持部１１、１２が
突設され、支持部１１、１２には、それぞれ上面開放の縦長の掛止溝１３、１４が対向して左右の側板２、４の中心軸線上に凹設されている。
【００２２】
支持部１１、１２は、図３（Ａ）に図示した段ボール箱板Ｄの左右の側板２、４上端に折り曲げ線Ｒ１４、Ｒ１４を介して設けられた支持板１１ａ、１２ａを内側に折り畳んで形成したものである。即ち、支持板１１ａ、１２ａには、それぞれ第一の長孔１３ａ、１４ａと第二の長孔１３ｂ、１４ｂが設けられており、第一の長孔１３ａ、１４ａを上下二等分するミシン刃線１５で支持板１１ａ、１２ａを内側に折り、更に、折り曲げ線Ｒ１３、Ｒ１３で内側に折って二つ折りの第一の長孔１３ａ、１４ａと第二の長孔１３ｂ、１４ｂとを重ね合わせて連通させ、更に、折り曲げ線Ｒ１４、Ｒ１４で内側に折り込み、これを面ファスナー３０又は接着剤で左右の側板２、４の上端部に接着して形成したものである。
【００２３】
後側板３の上端には、折り曲げ線Ｒ１５を介して後上蓋２０が連設されており、後上蓋２０の左右には、垂下フラップ２０ａ、２０ｂが設けられ、左右の垂下フラップ２０ａ、２０ｂの内面には面ファスナー３０が接着されている。また、後上蓋２０の先端には折り曲げ線Ｒ１６を介して直角に折り曲げられ更にミシン刃２１で断面Ｌ字状に屈曲された連結板２２が設けられ、連結板２２の先端部には、連結板２２の拡幅部２２ａで補強管２５を捲回し接着して形成された架軸部２６が設けられている。
【００２４】
連結板２２は、図３（Ａ）に図示した段ボール箱板Ｄで示すように、架軸部２６を形成する為に、その先端部に補強管２５を捲回する為の拡幅部２２ａを有している。拡幅部２２ａには、断面長方形の紙管からなる補強管２５が捲回し易いように補強管２５の角部に対応させた間隔で４本のミシン刃線２３が入れてあり、ミシン刃線２３に沿って折り曲げて補強管２５を捲回している。
【００２５】
尚、架軸部２６を連結板２２と別体に形成しておいて、連結板の先端部に接着しり、面ファスナーを用いて着脱自在に設けてもよいことは言うまでもない（図示省略）。
【００２６】
架軸部２６の両端部２６ａ、２６ｂは連結板２２の先端部から突出してしている。後上蓋２０を閉蓋し架軸部２６の両端部２６ａ、２６ｂを掛止溝１３、１４に嵌脱自在に嵌入することで左右の側板２、４に掛け渡され、屈曲した連結板２２が凹没部２４を形成している。
【００２７】
凹没部２４により架軸部２６にハンガー３９のフック３９ａの掛かり代が十分確保され、洋服の吊り掛けが可能となっている。また、前上蓋１０はその前フラップ１０ａを凹没部２４内に嵌挿し連結板２２と弾接状態に閉蓋する。
【００２８】
尚、補強管２５は合成樹脂製でもよいが、経済性や資源のリサイクル、資材別分別廃棄の問題を考慮すると、段ボール箱は紙材として単一資材であることが好ましく、紙管で十分な強度を得られることから紙管を使うことが好ましい。
【００２９】
また、架軸部２２は断面長方形に限るものではなく、正方形、円形、楕円形でもよいことは言うまでもない。
【００３０】
以上のように構成された本実施の形態にあっては、通常の段ボール箱と同様に折り畳んだ状態で保管ができる。そして、使用するときは、折り畳んだ状態から引き起こして自動的に上面開放の有底筒状の箱体とし、連結板２２を折り曲げ線Ｒ１６とミシン刃線２１とで折り曲げて断面Ｌ字状に形付けし、後上蓋２０を折り曲げ線Ｒ１５で折り倒し、架軸部２６の両端部１２ａ、２６ｂを掛止溝１３、１４に嵌入して架軸部２６を掛け渡すと共に連結板２２による上面開放の凹没部２４を形成し、後上蓋２０の左右のフラップ２０ａ、２０ｂを面ファスナー３０、３０で左右の側板２、４に固定する（図５参照）。
【００３１】
搬送洋服を収容するには、前側板１における傾斜蓋１ａの面ファスナー３０による固定を解除し、傾斜蓋１ａを傾斜折り曲げ線Ｒ９で外側に折り曲げて傾斜蓋１ａと共に前上蓋１０を開放状態にしておく。そして、搬送洋服の収容後は、傾斜蓋１ａを再び閉蓋して面ファスナー３０で固定し、前上蓋１０を折り曲げ線Ｒ１２で折り倒して前フラップ１０ａを凹没部２４に挿入すると共に前上蓋１０の左右のフラップ１０ｂ、１０ｃを面ファスナー３０、３０で左右の側板２、４に固定する。
【００３２】
以上のように、接着テープを使用することなく梱包するので通い箱として段ボール箱の傷みが少なく、通い箱として何度も使用することができる。
【００３３】
【発明の効果】
以上説明したような形態で実施される本発明の段ボール箱は、以下に記載されるような効果を奏する。
【００３４】
請求項１に記載の段ボール箱によれば、左右の側板の内側中央上端部に掛止溝を対向して設け、前上蓋および後上蓋の何れか一方の上蓋の先端に連続する連結板に架軸部を設け、架軸部を掛止溝に嵌脱自在に掛け渡して架軸部にハンガーが吊り掛けられる構成としたので、従来のハンガーボックスのように段ボール箱とは別に架杆部材を用意することがなくなり、保管や搬送時の煩雑さをなくして管理を容易にすることができる。
【００３５】
請求項２に記載の段ボール箱によれば、上記の効果に加えて、連結板の拡幅部で補強管を捲回し接着して架軸部を形成したので、架軸部の強度が強化され、重量の大きな複数の洋服を掛け吊りすることができる。
【００３６】
請求項３に記載の段ボール箱によれば、更に上記の効果に加えて、補強管として横断面形状が方形の紙管を使用することにより、ハンガーのフックの掛け代が十分確保された架軸部の形成を容易とする共に、安価にして資源のリサイクルにも適応した通い箱として好適な洋服搬送用の段ボール箱とすることができる。
【図面の簡単な説明】
【図１】本発明の段ボール箱の実施の形態を示す斜視図。
【図２】図１の段ボール箱のＡ−Ａ矢視方向を示す断面図。
【図３】図１の段ボール箱の、（Ａ）は段ボール箱板として裏面を示す展開図、（Ｂ）は段ボール箱板に取り付けられる補強管を示す斜視図。
【図４】図１の段ボール箱の傾斜蓋、前上板、後上蓋を開放した状態を示す斜視図。
【図５】図１の段ボール箱の前上蓋を開放した状態を示す平面図。
【図６】従来例を示す分解斜視図。
【符号の説明】
１  前側板，２  左側板，３  後側板，４  右側板，１０  前上蓋，１３、１４  掛止溝,２０  後上蓋，２２  連結板，２２ａ  拡幅部，２５  補強管，２６  架軸部，２６ａ、２６ｂ  端部，Ｒ１、Ｒ２、Ｒ３、Ｒ４、Ｒ９、Ｒ１２、Ｒ１５  折り曲げ線，
【図１】
0003919987.tif 000002
【図２】
0003919987.tif 000003
【図３】
0003919987.tif 000004
【図４】
0003919987.tif 000005
【図５】
0003919987.tif 000006
【図６】
0003919987.tif 000007